(57)【特許請求の範囲】
【請求項１】
空気を浄化するための空気浄化部、空気を送風する第１送風機、及び、空気が流通可能な第１通風路を有する機器本体と、
イオンを発生させるイオン発生部を有し、前記機器本体に着脱可能なイオン発生ユニットと
を備え、
前記第１通風路には、前記第１送風機が送風することによって、外部から空気を吸い込む第１吸込口、及び、吸い込んだ空気を前記空気浄化部で浄化してから外部へ吹き出す第１吹出口が設けられている空気清浄機であって、
前記イオン発生ユニットは、
空気を送風する第２送風機と、
該第２送風機が送風することによって、外部から空気を吸い込む第２吸込口、及び、吸い込んだ空気を前記イオン発生部で発生したイオンと共に外部へ吹き出す第２吹出口が設けられている第２通風路と
を有し、
前記イオン発生ユニットが前記機器本体に装着されている場合は、前記機器本体から前記イオン発生ユニットへ給電され、且つ、少なくとも前記空気浄化部、前記第１送風機、前記第１通風路、及び前記イオン発生部が機能するようにしてあり、
前記第２通風路には、前記第１吹出口を介して吹き出した空気の一部又は全部が直接的に前記第２通風路の内部へ流入する流入口が設けられており、
該流入口を介して流入した空気を前記イオン発生部で発生したイオンと共に外部へ吹き出すようにしてあり、
前記イオン発生ユニットが前記機器本体に装着されていない場合は、少なくとも前記イオン発生部、前記第２送風機、及び前記第２通風路が機能するようにしてあることを特徴とする空気清浄機。
【請求項２】
前記流入口を介して流入した空気を、前記イオン発生部で発生したイオンと共に前記第２吹出口を介して外部へ吹き出すようにしてあり、
前記イオン発生ユニットが前記機器本体に装着されている場合に前記第２吸込口を介した空気の流通が禁止され、装着されていない場合に前記流入口を介した空気の流通が禁止されるようにしてあることを特徴とする請求項１に記載の空気清浄機。
【請求項３】
前記第２通風路には、前記第２吸込口、前記第２送風機、前記流入口、前記イオン発生部、及び前記第２吹出口がこの順で配されており、
前記第２吸込口及び前記第２送風機が配されている上流側の空間と前記流入口、前記イオン発生部、及び前記第２吹出口が配されている下流側の空間との連通を遮断し、且つ、前記流入口を開放する状態と、前記流入口を閉鎖し、且つ、前記上流側の空間と前記下流側の空間とを連通させる状態とを排他的に切り替える切替部が、前記第２送風機と前記流入口との間に配されていることを特徴とする請求項２に記載の空気清浄機。
【請求項４】
前記イオン発生ユニットは、前記流入口が前記第１吹出口に向けて開口するよう前記機器本体に装着されるようにしてあることを特徴とする請求項１から３の何れかひとつに記載の空気清浄機。
【請求項５】
前記イオン発生ユニットは、
前記機器本体に装着されている場合に前記機器本体から給電されることによって充電され、前記機器本体に装着されていない場合に前記第２送風機及び前記イオン発生部へ給電するバッテリ
を更に有することを特徴とする請求項１から４の何れかひとつに記載の空気清浄機。
【請求項６】
前記機器本体は、
該機器本体、及び該機器本体に装着されているイオン発生ユニットを運転する場合に操作される第１操作部を有し、
前記イオン発生ユニットは、
前記機器本体に装着されていない前記イオン発生ユニットを運転する場合に操作される第２操作部を有し、該第２操作部が前記機器本体によって隠蔽される姿勢で前記機器本体に装着されるようにしてあることを特徴とする請求項１から５の何れかひとつに記載の空気清浄機。
【請求項７】
イオンを発生させるイオン発生部を有し、空気を吹き出す他の機器に着脱可能なイオン発生ユニットであって、
空気を送風する送風機と、
該送風機が送風することによって、外部から空気を吸い込む吸込口、及び、吸い込んだ空気を前記イオン発生部で発生したイオンと共に外部へ吹き出す吹出口が設けられている通風路と
を有し、
前記他の機器に装着されている場合は前記他の機器から給電されるようにしてあり、
前記他の機器に装着されていない場合は少なくとも前記イオン発生部、前記送風機、及び前記通風路が機能するようにしてあり、
前記通風路には、前記他の機器に装着されている場合に該他の機器から吹き出した空気の一部又は全部が直接的に前記通風路の内部へ流入する流入口が設けられており、
該流入口を介して流入した空気を、前記イオン発生部で発生したイオンと共に前記吹出口を介して外部へ吹き出すようにしてあり、
前記他の機器に装着されている場合に前記吸込口を介した空気の流通が禁止され、装着されていない場合に前記流入口を介した空気の流通が禁止されるようにしてあることを特徴とするイオン発生ユニット。
【発明の詳細な説明】
【技術分野】
【０００１】
本発明は、空気を浄化する空気清浄機及びイオン発生ユニットに関する。
【背景技術】
【０００２】
従来の空気清浄機は、空気を送風する送風機と、吸込口及び吹出口が設けられている通風路とを備える。通風路には、空気を濾過するエアフィルタが配されている。吹出口近傍には、イオンを発生させるイオン発生部が配されている。送風機が空気を送風することによって、機外から吸込口を介して空気が吸い込まれ、吸い込まれた空気はエアフィルタを通過してから、イオン発生部で発生したイオンと共に、吹出口を介して機外へ吹き出る（特許文献１参照）。
【先行技術文献】
【特許文献】
【０００３】
【特許文献１】特開２００９−１４２３５６号公報
【発明の概要】
【発明が解決しようとする課題】
【０００４】
このような空気清浄機は、一般的にサイズが大きく、重い。このため、女性又は年配者等にとって、空気清浄機を持ち運ぶことは困難である。更に、所望の場所でイオンを放出させたい場合、その場所に、空気清浄機を設置するための大きなスペースが必要である。
【０００５】
本発明は斯かる事情に鑑みてなされたものであり、その主たる目的は、機器本体が空気浄化部と第１送風機と第１通風路とを有し、イオン発生ユニットがイオン発生部と第２送風機と第２通風路とを有し、イオン発生ユニットが機器本体に装着されていない場合は少なくともイオン発生部と第２送風機と第２通風路とが機能する構成とすることにより、イオン発生ユニットを機器本体から取り外して単独で使用することができる空気清浄機を提供することにある。
【課題を解決するための手段】
【０００６】
本発明に係る空気清浄機は、空気を浄化するための空気浄化部、空気を送風する第１送風機、及び、空気が流通可能な第１通風路を有する機器本体と、イオンを発生させるイオン発生部を有し、前記機器本体に着脱可能なイオン発生ユニットとを備え、前記第１通風路には、前記第１送風機が送風することによって、外部から空気を吸い込む第１吸込口、及び、吸い込んだ空気を前記空気浄化部で浄化してから外部へ吹き出す第１吹出口が設けられている空気清浄機であって、前記イオン発生ユニットは、空気を送風する第２送風機と、該第２送風機が送風することによって、外部から空気を吸い込む第２吸込口、及び、吸い込んだ空気を前記イオン発生部で発生したイオンと共に外部へ吹き出す第２吹出口が設けられている第２通風路とを有し、前記イオン発生ユニットが前記機器本体に装着されている場合は、前記機器本体から前記イオン発生ユニットへ給電され、且つ、少なくとも前記空気浄化部、前記第１送風機、前記第１通風路、及び前記イオン発生部が機能するようにしてあり、前記第２通風路には、前記第１吹出口を介して吹き出した空気の一部又は全部が直接的に前記第２通風路の内部へ流入する流入口が設けられており、該流入口を介して流入した空気を前記イオン発生部で発生したイオンと共に外部へ吹き出すようにしてあり、前記イオン発生ユニットが前記機器本体に装着されていない場合は、少なくとも前記イオン発生部、前記第２送風機、及び前記第２通風路が機能するようにしてあることを特徴とする。
【０００８】
本発明に係る空気清浄機は、前記流入口を介して流入した空気を、前記イオン発生部で発生したイオンと共に前記第２吹出口を介して外部へ吹き出すようにしてあり、前記イオン発生ユニットが前記機器本体に装着されている場合に前記第２吸込口を介した空気の流通が禁止され、装着されていない場合に前記流入口を介した空気の流通が禁止されるようにしてあることを特徴とする。
【０００９】
本発明に係る空気清浄機は、前記第２通風路には、前記第２吸込口、前記第２送風機、前記流入口、前記イオン発生部、及び前記第２吹出口がこの順で配されており、前記第２吸込口及び前記第２送風機が配されている上流側の空間と前記流入口、前記イオン発生部、及び前記第２吹出口が配されている下流側の空間との連通を遮断し、且つ、前記流入口を開放する状態と、前記流入口を閉鎖し、且つ、前記上流側の空間と前記下流側の空間とを連通させる状態とを排他的に切り替える切替部が、前記第２送風機と前記流入口との間に配されていることを特徴とする。
【００１０】
本発明に係る空気清浄機は、前記イオン発生ユニットは、前記流入口が前記第１吹出口に向けて開口するよう前記機器本体に装着されるようにしてあることを特徴とする。
【００１１】
本発明に係る空気清浄機は、前記イオン発生ユニットは、前記機器本体に装着されている場合に前記機器本体から給電されることによって充電され、前記機器本体に装着されていない場合に前記第２送風機及び前記イオン発生部へ給電するバッテリを更に有することを特徴とする。
【００１２】
本発明に係る空気清浄機は、前記機器本体は、該機器本体、及び該機器本体に装着されているイオン発生ユニットを運転する場合に操作される第１操作部を有し、前記イオン発生ユニットは、前記機器本体に装着されていない前記イオン発生ユニットを運転する場合に操作される第２操作部を有し、該第２操作部が前記機器本体によって隠蔽される姿勢で前記機器本体に装着されるようにしてあることを特徴とする。
【００１３】
本発明に係るイオン発生ユニットは、イオンを発生させるイオン発生部を有し、空気を吹き出す他の機器に着脱可能なイオン発生ユニットであって、空気を送風する送風機と、該送風機が送風することによって、外部から空気を吸い込む吸込口、及び、吸い込んだ空気を前記イオン発生部で発生したイオンと共に外部へ吹き出す吹出口が設けられている通風路とを有し、前記他の機器に装着されている場合は前記他の機器から給電されるようにしてあり、前記他の機器に装着されていない場合は少なくとも前記イオン発生部、前記送風機、及び前記通風路が機能するようにしてあり、前記通風路には、前記他の機器に装着されている場合に該他の機器から吹き出した空気の一部又は全部が直接的に前記通風路の内部へ流入する流入口が設けられており、該流入口を介して流入した空気を、前記イオン発生部で発生したイオンと共に前記吹出口を介して外部へ吹き出すようにしてあり、前記他の機器に装着されている場合に前記吸込口を介した空気の流通が禁止され、装着されていない場合に前記流入口を介した空気の流通が禁止されるようにしてあることを特徴とする。
【００１４】
本発明にあっては、空気清浄機は、機器本体と、機器本体に着脱可能なイオン発生ユニットとを備える。機器本体は、空気浄化部、第１送風機、及び第１通風路を有し、イオン発生ユニットは、イオン発生部、第２送風機、及び第２通風路を有する。第１通風路には第１吸込口及び第１吹出口が設けられており、第２通風路には第２吸込口及び第２吹出口が設けられている。
イオン発生ユニットが機器本体に装着されている場合、例えばイオン発生部及び第２送風機等の駆動電力が、機器本体からイオン発生ユニットへ供給される。
【００１５】
イオン発生ユニットが機器本体に装着されていない場合は、少なくともイオン発生ユニットのイオン発生部と第２送風機と第２通風路とが機能する。このため、機器本体に装着されていないイオン発生ユニット（以下、イオン発生ユニット単体という）において、第２送風機が空気を送風することによって、第２通風路の外部から内部へ第２吸込口を介して空気が吸い込まれ、吸い込まれた空気は、イオン発生部で発生したイオンと共に、第２吹出口を介して第２通風路の内部から外部へ吹き出る。つまり、イオン発生ユニット単体は、単独使用が可能な構成である。従って、ユーザは、機器本体からイオン発生ユニットを取り外し、イオン発生ユニット単体を持ち運び、例えば所望の場所に設置する。
【００１６】
以上の結果、イオン発生部で発生したイオンが、イオン発生ユニット単体が設置されている場所で放出される。
イオン発生ユニットが機器本体に装着されていない場合には、機器本体の動作とイオン発生ユニットの動作とは無関係である。従って、この場合には、機器本体の各部は機能してもよく、機能しなくてもよい。この場合に機器本体の各部が機能するならば、機器本体は単独使用が可能であり、機能しないならば単独使用が不可能である。
【００１７】
機器本体の単独使用が可能な場合、イオン発生ユニットが取り外された機器本体が単独で、例えばユーザが存在する室内に設置される。この場合、第１送風機が空気を送風することによって、第１通風路の外部から内部へ第１吸込口を介して空気が吸い込まれ、吸い込まれた空気は空気浄化部で浄化されてから、第１吹出口を介して第１通風路の内部から外部へ吹き出る。以上の結果、空気浄化部で浄化された空気（以下、浄化空気ともいう）が、機器本体が設置されている場所へ送出される。
【００１８】
本発明にあっては、イオン発生ユニットが機器本体に装着されている状態の空気清浄機（以下では、この状態の空気清浄機を空気清浄機全体という）が、例えばユーザが存在する室内に設置される。
イオン発生ユニットが機器本体に装着されている場合は、少なくとも機器本体の空気浄化部、第１送風機、及び第１通風路と、イオン発生ユニットのイオン発生部が機能する。
【００１９】
イオン発生ユニットが機器本体に装着されている場合、第１送風機が空気を送風することによって、第１通風路の外部から内部へ第１吸込口を介して空気が吸い込まれ、吸い込まれた空気は空気浄化部で浄化されてから、第１吹出口を介して第１通風路の内部から外部へ吹き出る。更に、第１吹出口を介して吹き出した空気（即ち浄化空気）の一部又は全部は、流入口を介して第２通風路の内部へ直接的に流入する。流入口を介して流入した浄化空気は、イオン発生部で発生したイオンと共に、第２通風路の内部から外部へ吹き出る。
以上の結果、イオン発生ユニットが機器本体に装着されている場合は、イオン発生部で発生したイオンを含む浄化空気（以下、イオン含有浄化空気ともいう）が、空気清浄機全体が設置されている場所へ送出される。
【００２０】
イオン含有浄化空気を第２通風路の内部から外部へ吹き出すためには、第１送風機のみが送風してもよく、第１送風機及び第２送風機が共に送風してもよい。
また、イオン含有浄化空気は、第２通風路の内部から外部へ吹き出る際に、第２吸込口及び第２吹出口の何れか一方又は両方を介すればよい。
更に、流入口と第２吸込口又は第２吹出口とが兼用であってもよい。
【００２１】
本発明にあっては、イオン発生ユニットが機器本体に装着されている場合、流入口を介して流入した浄化空気がイオン含有浄化空気となり、第２吹出口を介して外部へ吹き出る。このとき、第２吸込口を介した空気の流通が禁止される。この結果、流入口を介して流入した浄化空気を、効率よくイオン含有浄化空気となすことができる。また、イオン含有浄化空気を、第２吹出口に係る１方向に向けて吹き出すことができる。このため、ユーザが所望の方向へイオン含有浄化空気を集中して吹き出すことができる。
仮に、第２吸込口を介した空気の流通が許可されているならば、浄化空気又はイオン含有浄化空気が第２吸込口を介して外部へ漏出する虞がある。
【００２２】
一方、イオン発生ユニットが機器本体に装着されていない場合、第２吸込口を介して吸い込まれた空気が、イオン発生部で発生したイオンを含む空気（以下、イオン含有空気ともいう）となり、第２吹出口を介して外部へ吹き出る。このとき、流入口を介した空気の流通が禁止される。この結果、第２吸込口を介して吸い込んだ空気を、効率よくイオン含有空気となすことができる。また、イオン含有空気を、第２吹出口に係る１方向に向けて吹き出すことができる。このため、ユーザが所望の方向へイオン含有空気を集中して吹き出すことができる。
仮に、流入口を介した空気の流通が許可されているならば、第２吸込口を介して吸い込んだ空気が流入口を介して第２通風路の外部へ漏出する虞がある。
【００２３】
本発明にあっては、イオン発生ユニットの第２通風路に、第２吸込口、第２送風機、切替部、流入口、イオン発生部、及び第２吹出口が、この順で配されている。ここでは、第２通風路における第２吸込口及び第２送風機が配されている空間を上流側の空間といい、流入口、イオン発生部、及び第２吹出口が配されている空間を下流側の空間という。
イオン発生ユニットが機器本体に装着されている場合、切替部は、流入口を開放する。このとき、流入口を介して流入した浄化空気は、下流側の空間を流通してイオン含有浄化空気となり、第２吹出口を介して外部へ吹き出る。
【００２４】
また、この場合、切替部は、上流側の空間と下流側の空間との連通を遮断する。従って、第２吸込口を介した空気の流通が禁止される。この結果、流入口を介して流入した浄化空気を、更に効率よくイオン含有浄化空気となすことができる。何故ならば、例えば第２吸込口を遮蔽するだけでも第２吸込口を介した空気の流通は禁止されるが、これだけでは流入口を介して流入した浄化空気が上流側の空間で滞留し、下流側の空間へ効率よく流通しない虞があるからである。
一方、イオン発生ユニットが機器本体に装着されていない場合、切替部は、上流側の空間と下流側の空間とを連通させる。このとき、第２吸込口を介して吸い込まれた空気は、上流側の空間及び下流側の空間を順に流通してイオン含有空気となり、第２吹出口を介して第２通風路の外部へ吹き出る。
【００２５】
また、この場合、切替部は、流入口を閉鎖する。従って、流入口を介した空気の流通が禁止される。この結果、第２吸込口を介して吸い込んだ空気を、効率よくイオン含有空気となすことができる。
【００２６】
本発明にあっては、イオン発生ユニットは、自身の第２通風路に設けられている流入口が、機器本体の第１通風路に設けられている第１吹出口に向けて開口するよう、機器本体に装着される。この結果、第１吹出口を介して吹き出た浄化空気は、流入口を介して直接的に、しかも効率よく第２通風路へ流入することができる。
【００２７】
本発明にあっては、イオン発生ユニットはバッテリを更に有する。
イオン発生ユニットが機器本体に装着されていない場合、第２送風機及びイオン発生部は、バッテリから給電される。従って、機器本体に装着されていない状態のイオン発生ユニットが、例えば商用電源から受電する必要はない。この結果、少なくともイオン発生ユニット単体は、受電不可能な場所であっても設置可能である。即ち、イオン発生ユニットの設置場所の制限が緩和される。
イオン発生ユニットが機器本体に装着されている場合、バッテリは機器本体から給電されることによって充電される。従って、例えばイオン発生ユニットを機器本体に装着する前に、バッテリを別途充電する必要はない。この結果、ユーザの利便性が向上される。
【００２８】
本発明にあっては、機器本体が第１操作部を有し、イオン発生ユニットが第２操作部を有する。
イオン発生ユニットが機器本体に装着されていない場合、ユーザは、第２操作部を操作することによって、イオン発生ユニットを運転することができ、第１操作部を操作することによって、機器本体を運転することができる。即ち、機器本体及びイオン発生ユニットは共に単独使用が可能である。
イオン発生ユニットが機器本体に装着されている場合、ユーザは、第１操作部を操作することによって、空気清浄機全体を運転することができる。従って、この場合に、ユーザが第２操作部を操作することによってイオン発生ユニットを運転する必要はない。
【００２９】
機器本体に装着される場合のイオン発生ユニットの姿勢は、第２操作部が機器本体によって隠蔽される姿勢である。換言すれば、イオン発生ユニットが機器本体に装着されている場合、第２操作部はユーザの目に触れない位置に配されている。
仮に、イオン発生ユニットが機器本体に装着されている場合にも第２操作部が露出していると、空気清浄機全体の運転を所望するユーザが誤って第２操作部を操作したり、第１操作部及び第２操作部の何れを操作すべきか困惑したりする虞がある。
【００３０】
つまり、イオン発生ユニットが機器本体に装着されている場合には不要な部位である第２操作部を隠蔽することによって、ユーザの利便性を向上させることができ、しかも、空気清浄機全体の意匠性を向上させることができる。
【発明の効果】
【００３１】
本発明の空気清浄機及びイオン発生ユニットによる場合、イオン発生ユニットを機器本体から取り外すことができる。また、機器本体から取り外したイオン発生ユニットを、単独で使用することができる。
イオン発生ユニット単体は、空気清浄機全体よりも小型軽量である。従って、空気清浄機全体を移動させる場合に比べて、イオン発生ユニット単体を容易に移動させることができる。また、空気清浄機全体を設置すべき場所よりも狭い場所にイオン発生ユニット単体を設置することができる。
更に、分離させたイオン発生ユニットと機器本体とをユーザが個別に持ち運び、移動先で結合させれば、空気清浄機全体を持ち運ぶよりも容易に空気清浄機を移動させることができる。
【００３２】
以上の結果、ユーザの利便性を向上させることができる。
更にまた、空気清浄機全体を使用する場合に、機器本体へ給電すれば、イオン発生ユニットへは機器本体から給電されるため、機器本体及びイオン発生ユニットへ個別に給電する必要がない。
【図面の簡単な説明】
【００３３】
【図１】本発明の実施の形態１に係る空気清浄機（機器本体にイオン発生ユニットが装着されている場合）の要部構成を模式的に示す側面断面図である。
【図２】本発明の実施の形態１に係る空気清浄機（機器本体にイオン発生ユニットが装着されている場合）の要部構成を模式的に示す正面断面図である。
【図３】本発明の実施の形態１に係る空気清浄機（機器本体にイオン発生ユニットが装着されている場合）の外観を模式的に示す斜視図である。
【図４】本発明の実施の形態１に係る空気清浄機（機器本体にイオン発生ユニットが装着されていない場合）の外観を模式的に示す斜視図である。
【図５】本発明の実施の形態１に係る空気清浄機（機器本体にイオン発生ユニットが装着されている場合）の制御系の要部構成を示すブロック図である。
【図６】本発明の実施の形態１に係る空気清浄機のイオン発生ユニットに備えられている操作パネルの外観を模式的に示す平面図である。
【図７】本発明の実施の形態２に係る空気清浄機（機器本体にイオン発生ユニットが装着されている場合）の外観を模式的に示す側面断面図である。
【図８】本発明の実施の形態２に係る空気清浄機（機器本体にイオン発生ユニットが装着されていない場合）の外観を模式的に示す側面断面図である。
【図９】本発明の実施の形態２に係る空気清浄機（機器本体にイオン発生ユニットが装着されている場合）の制御系の要部構成を示すブロック図である。
【図１０】本発明の実施の形態２に係る空気清浄機のイオン発生ユニットに備えられている第２操作パネルの外観を模式的に示す平面図である。
【図１１】本発明の実施の形態３に係る空気清浄機（機器本体にイオン発生ユニットが装着されている場合）の要部構成を模式的に示す側面断面図である。
【図１２】本発明の実施の形態３に係る空気清浄機（機器本体にイオン発生ユニットが装着されている場合）の要部構成を模式的に示す正面断面図である。
【図１３】本発明の実施の形態３に係る空気清浄機（機器本体にイオン発生ユニットが装着されていない場合）の要部構成を模式的に示す側面断面図である。
【発明を実施するための形態】
【００３４】
以下、本発明を、その実施の形態を示す図面に基づいて詳述する。
【００３５】
実施の形態  １．
図１及び図２は、本発明の実施の形態１に係る空気清浄機５の要部構成を模式的に示す側面断面図及び正面断面図である。図３及び図４は、空気清浄機５の外観を模式的に示す斜視図である。図５は、空気清浄機５の制御系の要部構成を示すブロック図である。
【００３６】
空気清浄機５は、機器本体１と、機器本体１に着脱可能なイオン発生ユニット２とを備える。図１〜図３、及び図５は、機器本体１にイオン発生ユニット２が装着されている場合を示し、図４は、機器本体１にイオン発生ユニット２が装着されていない場合を示している。以下では、機器本体１にイオン発生ユニット２が装着されている場合を、装着状態である場合といい、機器本体１にイオン発生ユニット２が装着されていない場合を、非装着状態である場合という。
【００３７】
図１の右側（及び左側）は、空気清浄機５の正面側（及び背面側）である。図２は、図１の右側（即ち空気清浄機５の正面側）から見た断面図である。図３及び図４は、図１の左側（即ち空気清浄機５の背面側）から見た斜視図である。以下では、図１の右側（及び左側）を空気清浄機５の前側（及び後側）という。また、図２の左側（及び右側）を空気清浄機５の左側（及び右側）といい、図１及び図２の上側（及び下側）を空気清浄機５の上側（及び下側）という。
図１〜図４に示すように、機器本体１は、縦型直方体状の筐体１００を備え、筐体１００は、例えば床面に載置される。イオン発生ユニット２は、横型直方体状の筐体２００を備える。イオン発生ユニット２は、機器本体１に比べて小型軽量である。
【００３８】
筐体１００の天板部には段差が設けられており、前側の天板部の高さは、後側の天板部の高さよりも低い。筐体１００の前側の天板部と後側の天板部との間に介在する前面部には、図４及び図５に示す第１コネクタ１０が凸設されている。一方、筐体２００の後面部には、第２コネクタ２０が凹設されている。第１コネクタ１０と第２コネクタ２０とは、第１コネクタ１０が第２コネクタ２０へ挿入されることによって、電気的に接続される。
【００３９】
イオン発生ユニット２が機器本体１に装着される場合、筐体２００は、機器本体１の筐体１００の前側の天板部に載置され、更に、図示しないロック機構によって筐体１００に固定される。このとき、第１コネクタ１０と第２コネクタ２０とが電気的に接続される。ロック機構のロック状態が維持されている場合には、イオン発生ユニット２は機器本体１から取り外すことができないため、イオン発生ユニット２が脱落する虞はない。
一方、ロック機構が解除されれば、イオン発生ユニット２は機器本体１から容易に取り外すことができる。このとき、第１コネクタ１０と第２コネクタ２０との接続は解除される。非装着状態である場合、筐体２００は、例えば机上に載置される。
【００４０】
非装着状態である場合、イオン発生ユニット２は単独で運転される。このために、イオン発生ユニット２は、図１及び図５に示すバッテリ４５を備えている。図５に示すように、機器本体１は電源部１４を備えているが、本実施の形態においては、機器本体１が単独で運転されることはない。
以下では、装着状態である空気清浄機５を空気清浄機５全体といい、非装着状態である機器本体１及びイオン発生ユニット２を機器本体１単体及びイオン発生ユニット２単体という。
【００４１】
機器本体１の電源部１４は、図示しない商用電源から受電する。機器本体１が備える第１制御部１１（図１及び図５参照）、臭気センサ１２、埃センサ１３（各図５参照）、及び第１送風機３１（図１及び図５参照）は、電源部１４から給電される。
装着状態である場合、イオン発生ユニット２が備える第２制御部２１（図５参照）、操作パネル２２（図１、図３〜図５参照）、イオン発生部４０、第２送風機４１（各図１、図２、及び図５参照）、及びバッテリ４５は、第１コネクタ１０及び第２コネクタ２０を介して電源部１４から給電される。このとき、バッテリ４５が充電される。
【００４２】
非装着状態である場合、第２制御部２１、操作パネル２２、イオン発生部４０、及び第２送風機４１は、バッテリ４５から給電される。この結果、イオン発生ユニット２単体の運転は、最長でバッテリ４５の満充電から完全放電までの時間（例えば約８時間）持続する。
次に、機器本体１の構成について説明する。
図１に示すように、筐体１００の内部には、互いに区画されている第１通風路３２と第１制御室１０３とが形成されている。
第１制御室１０３には、第１制御部１１及び電源部１４等が内蔵されている。第１制御部１１は、機器本体１の制御中枢である。
【００４３】
第１通風路３２は、左右方向に沿う隔壁１０１によって、前側通風路３２ａと後側通風路３２ｂとに分割されている。ただし、隔壁１０１には開口１０２が形成されており、この開口１０２を介して、前側通風路３２ａと後側通風路３２ｂとは連通している。
第１通風路３２には第１吸込口３３（図１、図３、及び図４参照）及び第１吹出口３４（図１及び図４参照）が設けられている。
第１吸込口３３は、筐体１００の背面部に開口しており、第１吸込口３３を介して、機器本体１の外部（以下、機器外部という）と後側通風路３２ｂとが連通している。
【００４４】
第１吸込口３３の周縁上部には、臭気センサ１２及び埃センサ１３が配されている。
臭気センサ１２及び埃センサ１３は、第１吸込口３３を流通する空気の汚染度を検出するためのものである。臭気センサ１２は、例えば接触燃焼式のガスセンサを用いてなり、悪臭を有する可燃ガスを検出する。埃センサ１３は、例えば光電式の粒子センサを用いてなり、微細な塵埃及び花粉等の粒子を検出する。臭気センサ１２が検出した可燃ガスの量が多いか、又は、埃センサ１３が検出した粒子の個数が多い場合には、空気の汚染度は高い。臭気センサ１２が検出した可燃ガスの量と埃センサ１３が検出した粒子の個数とが共に少ない場合には、空気の汚染度は低い。
【００４５】
後述する「自動」モードにおいては、図５に示すように、臭気センサ１２及び埃センサ１３夫々の検出結果が、適宜の時間間隔で第１制御部１１へ繰り返し出力される。
第１制御部１１は、臭気センサ１２及び埃センサ１３夫々から入力された検出結果に基づいて、空気の汚染度を演算し、演算結果に基づいて、後述するファンモータ３１１の回転数の切り替えを制御する。また、第１制御部１１は、演算結果を示す制御信号を、第１コネクタ１０及び第２コネクタ２０を介して、イオン発生ユニット２の第２制御部２１へ出力する。「自動」モードにおける第２制御部２１は、入力された制御信号が示す演算結果に基づいて、後述するファンモータ４１１の回転数の切り替えを制御する。
【００４６】
図１に示すように、後側通風路３２ｂの内部において、第１吸込口３３の近傍（更に詳細には、臭気センサ１２及び埃センサ１３の配置位置より下流側、即ち前側）には、空気浄化部３０が配されている。空気浄化部３０は、脱臭フィルタ３０１及び集塵フィルタ３０２を備えている。
脱臭フィルタ３０１は、例えば、不織布に活性炭を分散保持させてなり、脱臭フィルタ３０１を通過する空気中の臭い成分を吸着し、除去する。集塵フィルタ３０２は、例えば、公知のＨＥＰＡ（High Efficiency Particulate Air ）フィルタであり、集塵フィルタ３０２を通過する空気中に含まれる微細な塵埃及び花粉等を捕集し、除去する。従って、空気浄化部３０を通過した空気は浄化される。
【００４７】
なお、空気浄化部３０は、脱臭フィルタ３０１及び集塵フィルタ３０２のみならず、第１吸込口３３を流通する空気に含まれる粗い塵埃を捕集し除去するプレフィルタを更に備える構成であってもよい。
第１通風路３２の中途には、第１送風機３１が配されている。
第１送風機３１は、電動のファンモータ３１１（図１及び図５参照）と、羽根車３１２（図１参照）とを備えている。
【００４８】
ファンモータ３１１は、図示しない支持部によって隔壁１０１に固定されている。ファンモータ３１１の前側部からは１本の出力軸３１３が突出している。本実施の形態におけるファンモータ３１１の回転数は、３段階（具体的には回転数Ｒ１１、回転数Ｒ１２、及び回転数Ｒ１３）に切替可能である。回転数Ｒ１１、回転数Ｒ１２、及び回転数Ｒ１３は、例えば５００rpm 、８００rpm 、及び１１００rpm である。
【００４９】
羽根車３１２は、ファンモータ３１１の出力軸３１３に固定されており、前側通風路３２ａに配されている。羽根車３１２は、ファンモータ３１１の駆動によって回転し、羽根車３１２が回転することによって、空気が送風される。ファンモータ３１１の回転数が高い（又は低い）ほど、第１送風機３１の送風量は多い（又は少ない）。
第１吹出口３４は、筐体１００の天板部に開口しており、第１吹出口３４を介して、機器外部と前側通風路３２ａとが連通している。
【００５０】
第１送風機３１が送風した場合、図１中に白抜矢符Ａ１にて示すように空気が流通する。更に詳細には、機器外部から第１吸込口３３を介して後側通風路３２ｂへ空気が吸い込まれる。吸い込まれた空気は、後側通風路３２ｂを前方向へ流通する。このとき、吸い込まれた空気は空気浄化部３０を通過することによって浄化される。即ち、吸い込まれた空気は浄化空気になる。
浄化空気は、後側通風路３２ｂから開口１０２を介して前側通風路３２ａへ流通する。前側通風路３２ａへ流通した浄化空気は、前側通風路３２ａを上方向へ流通し、前側通風路３２ａから、第１吹出口３４を介して機器外部へ吹き出る。このとき、浄化空気の吹出方向は上向きであるが、図示しない風向板を第１吹出口３４に配することによって、浄化空気の吹出方向を規制する構成でもよい。
【００５１】
機器本体１にイオン発生ユニット２が装着されると、第１吹出口３４の一部がイオン発生ユニット２の筐体２００によって被覆される。ただし、第１吹出口３４を介した浄化空気の吹き出しを、筐体２００が大幅に阻害することはない。また、筐体２００が第１吹出口３４の開口面積を狭めるかたちになるため、第１吹出口３４を介して吹き出る浄化空気の流速が向上する。なお、第１吹出口３４の開口位置とイオン発生ユニット２の装着位置とは、互いに干渉しない位置であってもよい。
次に、イオン発生ユニット２について説明する。
図１に示すように、筐体２００の内部には、互いに区画されている第２通風路４２と第２制御室２０１とが形成されている。
【００５２】
第２制御室２０１は、筐体２００の後方上部に位置しており、第２制御室２０１には、第２制御部２１及びバッテリ４５等が内蔵されている。第２制御部２１は、イオン発生ユニット２の制御中枢である。
第２通風路４２は、筐体２００の後方下部に位置する後下側通風路４２１と、後下側通風路４２１に連通し、筐体２００の前方下部に位置する前下側通風路４２２と、前下側通風路４２２に連通し、筐体２００の前方上部に位置する前上側通風路４２３とを有する。
第２通風路４２には、第２吸込口４３，４３（図２〜図４参照）及び第２吹出口４４（図１〜図４参照）が設けられている。
【００５３】
図２に示すように、２つの第２吸込口４３，４３は、筐体２００の左右両側面部に１つずつ開口しており、第２吸込口４３，４３を介して、イオン発生ユニット２の外部（以下、ユニット外部という）と後下側通風路４２１とが連通している。
各第２吸込口４３には、第２吸込口４３を流通する空気に含まれる粗い塵埃を捕集し除去する図示しないエアフィルタが配されている。
図１及び図２に示すように、後下側通風路４２１には、第２送風機４１が配されている。
【００５４】
第２送風機４１はシロッコファンであり、電動のファンモータ４１１（図２及び図５参照）と、２個の羽根車４１２，４１２（図１及び図２参照）とを備えている。
ファンモータ４１１は筐体２００に固定されている。ファンモータ４１１の左右両側部からは２本の出力軸４１３，４１３が突出している。本実施の形態におけるファンモータ４１１の回転数は、回転数Ｒ２１、回転数Ｒ２２、及び回転数Ｒ２３の３段階に切替可能である。回転数Ｒ２１、回転数Ｒ２２、及び回転数Ｒ２３は、例えば４５０rpm 、７５０rpm 、及び１０００rpm である。
【００５５】
羽根車４１２，４１２は、ファンモータ４１１の出力軸４１３，４１３に固定されている。羽根車４１２，４１２は、ファンモータ４１１の駆動によって、図１に示す矢符方向に回転する。羽根車４１２，４１２が回転することによって、空気が送風される。ファンモータ４１１の回転数が高い（又は低い）ほど、第２送風機４１の送風量は多い（又は少ない）。
前下側通風路４２２の壁面部には、第２通風路４２を流通する空気を後下側通風路４２１から前上側通風路４２３へ滑らかに案内するための曲面状の案内面部４２ａが含まれている。
前上側通風路４２３には、イオン発生部４０が配されている。
【００５６】
イオン発生部４０は、図示しないイオン発生電極と、イオン発生電極に対向配置されている対向電極とを備え、コロナ放電によって、正イオン及び負イオンが発生するよう構成されている。発生した正イオン及び負イオン（以下、正負イオンという）は、前上側通風路４２３を流通する空気中に浮遊する。
第２吹出口４４は、筐体２００の天板部前側に開口しており、第２吹出口４４を介して、ユニット外部と前上側通風路４２３とが連通している。
【００５７】
第２送風機４１が送風した場合、図１、図２、及び図４中に白抜矢符Ａ２にて示すように、ユニット外部から第２吸込口４３，４３を介して後下側通風路４２１へ空気が吸い込まれる。吸い込まれた空気は、後下側通風路４２１から前下側通風路４２２を通って前上側通風路４２３へ流通する。前上側通風路４２３へ流通した空気は、イオン発生部４０で発生したイオンを含むイオン含有空気になる。イオン含有空気は、前上側通風路４２３から第２吹出口４４を介してユニット外部へ吹き出る。このとき、イオン含有空気の吹出方向は上向きであるが、図示しない風向板を第２吹出口４４に配することによって、浄化空気の吹出方向を規制する構成でもよい。
【００５８】
イオン含有空気と共にユニット外部へ放出された正負イオンは、菌類、ウィルス、及びアレルゲン等を死滅又は不活性化させ、悪臭の原因となる物質（例えばアセトアルデヒドのような有機化合物）を分解する。
装着状態である場合、第１送風機３１、イオン発生部４０、及び第２送風機４１が全てオンであるときは、機器本体１から浄化空気が吹き出て、イオン発生ユニット２からイオン含有空気が吹き出る。また、吹き出た浄化空気とイオン含有空気とが空気清浄機５の外部で自然に混合されて、イオン含有浄化空気となる。
【００５９】
なお、機器本体１から吹き出た浄化空気がイオン発生ユニット２へ吸い込まれるように第１吹出口３４及び第２吸込口４３，４３を配置してもよい。この場合には、イオン発生ユニット２からイオン含有浄化空気が吹き出る。
また、第１吹出口３４の近傍にイオン発生部４０とは異なるイオン発生部が配されていてもよい。この場合には、機器本体１からイオン含有浄化空気が吹き出る。
装着状態である場合、第１送風機３１がオンであり、イオン発生部４０と第２送風機４１とがオフであるときは、第１吹出口３４から浄化空気が吹き出るが、イオン含有空気は吹き出ない。
【００６０】
非装着状態である場合、単独で運転されるイオン発生ユニット２の第２吹出口４４から、イオン含有空気が吹き出る。
なお、イオン発生ユニット２が第２通風路４２の中途に空気浄化部３０とは異なる空気浄化部を備える構成でもよい。この場合、第２吹出口４４からイオン含有浄化空気が吹き出る。
【００６１】
次に、操作パネル２２について説明する。
操作パネル２２は、筐体２００の天板部後側に配されている。一方、筐体１００には操作パネルが配されていない。何故ならば、イオン発生ユニット２は単独で運転されるが、機器本体１は単独で運転されないからである。装着状態においては、操作パネル２２は、空気清浄機５全体の操作パネルとして扱われ、非装着状態においてはイオン発生ユニット２単体の操作パネルとして扱われる。
図６は、操作パネル２２の外観を模式的に示す平面図である。
図５及び図６に示すように、操作パネル２２には、複数個の操作ボタン２２１〜２２３と、複数個の表示ランプ２２４〜２２９が設けられている。
【００６２】
操作ボタン２２１〜２２３は左右方向に並設されており、表示ランプ２２４は操作ボタン２２１の近傍に、表示ランプ２２５は操作ボタン２２２の近傍に、表示ランプ２２６〜２２９は、操作ボタン２２３の近傍に、夫々配されている。
表示ランプ２２４〜２２９は、夫々ＬＥＤを用いてなる。表示ランプ２２４〜２２９夫々の点灯／非点灯によって、ユーザに対し、所定の情報が報知される。
操作ボタン２２１〜２２３夫々は、ユーザによって操作される。
操作ボタン２２１〜２２３の何れかが操作された場合、操作された操作ボタン２２１〜２２３に対応する操作信号が、操作パネル２２から第２制御部２１へ出力される。操作信号が入力されたとき、第２制御部２１は、入力された操作信号に応じて、イオン発生ユニット２の各部の動作を制御する。
【００６３】
装着状態である場合、操作ボタン２２１，２２３の何れかに対応する操作信号が入力されたとき、第２制御部２１は、入力された操作信号に応じた制御信号を、第１コネクタ１０及び第２コネクタ２０を介して機器本体１の第１制御部１１へ出力する。第１制御部１１は、入力された制御信号に応じて、機器本体１の各部の動作を制御する。
操作ボタン２２１は、空気清浄機５全体又はイオン発生ユニット２単体の運転状態と運転停止状態とを切り替えるための運転／停止ボタンである。
【００６４】
空気清浄機５全体が運転停止状態である場合に操作ボタン２２１が操作されたとき、第２制御部２１は、表示ランプ２２４，２２５、イオン発生部４０、及び第２送風機４１（具体的にはファンモータ４１１）夫々をオンにする。更に、第２制御部２１は、操作ボタン２２１に係る制御信号を第１制御部１１へ出力する。
このとき、第１制御部１１は、第１送風機３１（具体的にはファンモータ３１１）をオンにし、臭気センサ１２及び埃センサ１３から出力された検出結果の受け付けを開始する。
以上の結果、空気清浄機５全体は運転停止状態から運転状態へ切り替えられる。
【００６５】
空気清浄機５全体が運転状態である場合に操作ボタン２２１が操作されたとき、第２制御部２１は、表示ランプ２２４，２２５、イオン発生部４０、及び第２送風機４１夫々をオフにする。更に、第２制御部２１は、操作ボタン２２１に係る制御信号を第１制御部１１へ出力する。
このとき、第１制御部１１は、ファンモータ３１１をオフにし、臭気センサ１２及び埃センサ１３から出力された検出結果の受け付けを終了する。
以上の結果、空気清浄機５全体は運転状態から運転停止状態へ切り替えられる。
【００６６】
イオン発生ユニット２単体が運転停止状態である場合に操作ボタン２２１が操作されたとき、第２制御部２１は、表示ランプ２２４，２２５、イオン発生部４０、及び第２送風機４１夫々をオンにする。この結果、イオン発生ユニット２単体は運転停止状態から運転状態へ切り替えられる。
イオン発生ユニット２単体が運転状態である場合に操作ボタン２２１が操作されたとき、第２制御部２１は、表示ランプ２２４，２２５、イオン発生部４０、及び第２送風機４１夫々をオフにする。この結果、イオン発生ユニット２単体は運転状態から運転停止状態へ切り替えられる。
操作ボタン２２２は、正負イオンの生成及び空気の送風を行なうか否かを切り替えるためのイオン入ボタンである。
【００６７】
空気清浄機５全体が運転状態である場合に、操作ボタン２２２が操作されたとき、第２制御部２１は、表示ランプ２２５、イオン発生部４０、及び第２送風機４１夫々をオンからオフに切り替えるか、オフからオンに切り替える。正負イオンの放出が不要である場合には、イオン発生部４０及び第２送風機４１をオフにすることによって、空気浄化部３０による空気の浄化を行ないつつ、空気清浄機５全体の消費電力を低減することができる。
非装着状態である場合、第２制御部２１は、操作ボタン２２２の操作を無視する。
操作ボタン２２３は、風量切替ボタンである。
【００６８】
空気清浄機５全体が運転状態である場合は、操作ボタン２２３が操作される都度、第２制御部２１は、イオン発生ユニット２の風量モードを、「自動」モード→「強」モード→「中」モード→「静音」モード→「自動」モードの順に切り替える。更に、第２制御部２３３は、操作ボタン２２１に係る制御信号を第１制御部１１へ出力する。
このとき、第１制御部１１は、機器本体１の風量モードを「自動」モード→「強」モード→「中」モード→「静音」モード→「自動」モードの順に切り替える。
【００６９】
イオン発生ユニット２単体が運転状態である場合は、操作ボタン２２３が操作される都度、第２制御部２１は、イオン発生ユニット２の風量モードを、「強」モード→「中」モード→「静音」モード→「強」モードの順に切り替える。
なお、イオン発生ユニット２単体が「自動」モードを有していてもよい。この場合、イオン発生ユニット２が臭気センサ１２及び埃センサ１３とは異なる臭気センサ及び埃センサを備え、これらの検出結果に基づいて第２制御部２１が空気の汚染度を演算する必要がある。
【００７０】
表示ランプ２２６〜２２９は、夫々が「自動」モード、「強」モード、「中」モード、及び「静音」モードに対応しており、これらの内、現在設定されているモードに対応しているもののみが点灯し、他は点灯しない。具体的には、例えば「中」モードに設定されている場合、表示ランプ２２８が点灯し、表示ランプ２２６，２２７，２２９は点灯しない。
「強」モードにおける第１制御部１１は、ファンモータ３１１の回転数を回転数Ｒ１３に設定する。同様に、「中」モード（又は「静音」モード）における第１制御部１１は、ファンモータ３１１の回転数を回転数Ｒ１２（又は回転数Ｒ１１）に設定する。
【００７１】
「自動」モードにおける第１制御部１１は、空気の汚染度が高い（又は低い）場合はファンモータ３１１の回転数を回転数Ｒ１３（又は回転数Ｒ１１）に設定し、空気の汚染度が中程度である場合は回転数Ｒ１２に設定する。つまり、空気の汚染度が高いほど、第１送風機３１の送風量が増大する。第１送風機３１の送風量が増大すると、多量の空気が空気浄化部３０を通過するため、空気清浄の効率が向上する。
「強」モードにおける第２制御部２１は、ファンモータ４１１の回転数を回転数Ｒ２３に設定する。同様に、「中」モード（又は「静音」モード）における第２制御部２１は、ファンモータ４１１の回転数を回転数Ｒ２２（又は回転数Ｒ２１）に設定する。
【００７２】
「自動」モードにおける第２制御部２１は、空気の汚染度が高い（又は低い）場合はファンモータ４１１の回転数を回転数Ｒ２３（又は回転数Ｒ２１）に設定し、空気の汚染度が中程度である場合は回転数Ｒ２２に設定する。つまり、空気の汚染度が高いほど、第２送風機４１の送風量が増大する。第２送風機４１の送風量が増大すると、正負イオンが効率よく放出されるため、空気清浄の効率が向上する。
以上のような風量モード、及び空気の汚染度夫々と回転数との関係は、第１制御部１１及び第２制御部２１に予め与えられている。
【００７３】
なお、機器本体１単体も運転可能な構成であってもよい。このとき、操作ボタン２２２及び表示ランプ２２５を除く操作パネル２２に相当するものが、機器本体１に備えられていることが望ましい。
以上のような空気清浄機５は、例えば空気清浄機５全体を居間に配置し、ユーザが居間で過ごしている間は空気清浄機５全体を運転し、就寝の際、イオン発生ユニット２単体のみを寝室へ持って行って運転する、といったような使い方をすることができる。何故ならば、イオン発生ユニット２単体は、空気清浄機５全体に比べて小型軽量であるため、空気清浄機５全体よりも持ち運びが容易だからである。
【００７４】
ところで、従来の一般的な空気清浄機は、イオン発生ユニット２を備えておらず、第１吹出口３４の近傍に、イオン発生部４０が配される構成である。このような構成では、第１吹出口３４の近傍を流通する空気の風速が高ければ、正負イオンを効率よく機外へ放出させることができる。しかしながら、第１吸込口３３を介して吸い込まれた空気が空気浄化部３０を通過する際に圧力損失が生じるため、第１吹出口３４の近傍を流通する空気の風速を高めることは困難である。
一方、本実施の形態における空気清浄機５は、イオン発生ユニット２に脱臭フィルタ及び集塵フィルタが備えられていないため、第２吹出口４４の近傍を流通する空気の風速を容易に高めることができる。この結果、正負イオンを効率よくユニット外部へ放出させることができる。
【００７５】
実施の形態  ２．
図７及び図８は、本発明の実施の形態２に係る空気清浄機５の外観を模式的に示す斜視図である。図９は、空気清浄機５の制御系の要部構成を示すブロック図である。図１０は、空気清浄機５のイオン発生ユニット２に備えられている第２操作パネル４６の外観を模式的に示す平面図である。図７〜図１０は、実施の形態１の図３〜図６に対応する。
実施の形態１では、空気清浄機５全体及びイオン発生ユニット２単体の何れか一方での運転が可能であるが、本実施の形態では、更に、機器本体１単体での運転が可能である。以下では、実施の形態１との差異を説明し、その他、実施の形態１に対応する部分には同一符号を付してそれらの説明を省略する。
【００７６】
機器本体１は、第１操作パネル３６（図７〜図９参照）を備え、イオン発生ユニット２は、実施の形態１の操作パネル２２に替えて、第２操作パネル４６（図８〜図１０参照）を備える。
第１操作パネル３６は、筐体１００の後側の天板部に配されている。このため、第１操作パネル３６は、装着状態である場合も非装着状態である場合も外部に露出している。
【００７７】
装着状態においては、第１操作パネル３６は、空気清浄機５全体の操作パネルとして扱われる。このため、第１操作パネル３６には、操作ボタン３６１〜３６３と、複数個の表示ランプ３６４〜３６９が設けられている。これらは、実施の形態１の操作ボタン２２１〜２２３と表示ランプ２２４〜２２９とに対応する。非装着状態においては、第１操作パネル３６は、機器本体１単体の操作パネルとして扱われる。
操作ボタン３６１〜３６３の何れかが操作された場合、操作された操作ボタン３６１〜３６３に対応する操作信号が、第１操作パネル３６から第１制御部１１へ出力される。操作信号が入力されたとき、第１制御部１１は、入力された操作信号に応じて、機器本体１の各部の動作を制御する。
【００７８】
装着状態である場合、操作ボタン３６１，３６３の何れかに対応する操作信号が入力されたとき、第１制御部１１は、入力された操作信号に応じた制御信号を、第１コネクタ１０及び第２コネクタ２０を介してイオン発生ユニット２の第２制御部２１へ出力する。第２制御部２１は、入力された制御信号に応じて、イオン発生ユニット２の各部の動作を制御する。
【００７９】
第２操作パネル４６は、非装着状態においてはイオン発生ユニット２単体の操作パネルとして扱われるが、装着状態においては操作パネルとして扱われない。このような第２操作パネル４６は、非装着状態である場合はユニット外部に露出しているが、装着状態である場合には、筐体１００の前側の天板部と後側の天板部との間に介在する前面部によって隠蔽される。このために、第２操作パネル４６は、筐体２００の後面部に配されている。
第２操作パネル４６には、操作ボタン４６１，４６３及び表示ランプ４６４，４６７，４６８，４６９が設けられている。これらは、実施の形態１の操作ボタン２２１，２２３及び表示ランプ２２４，２２７，２２８，２２９に対応する。
【００８０】
非装着状態である場合（図９に示す破線の矢符参照）、操作ボタン４６１，４６３の何れかが操作された場合、操作された操作ボタン４６１，４６３に対応する操作信号が、第２操作パネル４６から第２制御部２１へ出力される。操作信号が入力されたとき、第２制御部２１は、入力された操作信号に応じて、イオン発生ユニット２の各部の動作を制御する。
以上のような空気清浄機５は、第１操作パネル３６及び第２操作パネル４６を操作することによって、機器本体１単体及びイオン発生ユニット２単体で夫々運転が可能である。
【００８１】
しかも、空気清浄機５全体を使用する場合には、第１操作パネル３６及び第２操作パネル４６の内、第１操作パネル３６のみがユーザの目に触れ、無用の第２操作パネル４６が隠される。このため、ユーザが操作に戸惑うことがない。また、空気清浄機５全体の意匠性が向上されている。
【００８２】
実施の形態  ３．
図１１及び図１２は、本発明の実施の形態３に係る空気清浄機５の要部構成を模式的に示す側面断面図及び正面断面図であり、実施の形態１の図１及び図２に対応している。即ち、図１１及び図１２は、共に、機器本体１にイオン発生ユニット２が装着されている場合を示している。
図１３は、図１１と同様に、空気清浄機５の要部構成を模式的に示す側面断面図であるが、図１１とは異なり、機器本体１にイオン発生ユニット２が装着されていない場合を示している。
実施の形態１では、第１通風路３２及び第２通風路４２は互いに独立である。
【００８３】
しかしながら、本実施の形態では、装着状態である場合に、第１通風路３２から第１吹出口３４を介して吹き出した空気の一部が直接的に第２通風路４２の内部へ流入するよう構成されている。このために、図１１及び図１３に示すように、第２通風路４２に、流入口４７が設けられている。また、第２送風機４１と流入口４７との間に、ダンパ（通風調節部）４２ｂが配されている。
以下では、実施の形態１との差異を説明し、その他、実施の形態１に対応する部分には同一符号を付してそれらの説明を省略する。
ダンパ４２ｂは、一端部が回転自在に支持されている板状になしてあり、少なくとも非装着状態である場合は、第２通風路４２の壁面部の一部を形成している。
【００８４】
流入口４７は、第２通風路４２の前下側通風路４２２に開口している。即ち、第２通風路４２には、第２吸込口４３，４３と、第２送風機４１が位置している後下側通風路４２１と、流入口４７が位置している前下側通風路４２２と、イオン発生部４０が位置している前上側通風路４２３と、第２吹出口４４とがこの順で配されている。
イオン発生ユニット２は、流入口４７が第１吹出口３４の一部に向けて開口するよう機器本体１に装着される。このとき、第１吹出口３４の一部がイオン発生ユニット２の筐体２００によって被覆される。
【００８５】
ただし、流入口４７は、非装着状態であるか、又は、装着状態であっても第１送風機３１が送風していない場合には、図１３に示すような傾斜姿勢になっているダンパ４２ｂによって閉鎖されている。この結果、流入口４７を介した空気の流通が禁止される。この状態におけるダンパ４２ｂは、実施の形態１の案内面部４２ａと同様に機能する。
装着状態である場合は、空気浄化部３０、第１送風機３１、第１通風路３２、及びイオン発生部４０が機能する。このため、第１送風機３１が送風することによって、図１１及び図１２中に白抜矢符Ａ３０にて示すように、空気が流通する。即ち、第１吸込口３３を介して吸い込まれた空気が空気浄化部３０で浄化され、第１吹出口３４を介して浄化空気が吹き出る。
【００８６】
ダンパ４２ｂは、第１吹出口３４から吹き出た浄化空気の一部によって押し上げられる。このとき、ダンパ４２ｂが一端部を中心に図１１に示す矢符方向へ回転して縦姿勢になるため、流入口４７が開放される。この結果、開放された流入口４７と第１吹出口３４の一部とを介して、第２通風路４２の前下側通風路４２２と第１通風路３２の前側通風路３２ａとが連通する。一方、第１吹出口３４の残部を介して、機器外部と前側通風路３２ａとが連通している。
第１吹出口３４を介して吹き出た浄化空気の一部は、流入口４７を介して第２通風路４２の内部、更に詳細には前下側通風路４２２の内部へ流入する。
【００８７】
第２通風路４２の内部へ流入した浄化空気は、前下側通風路４２２を通って前上側通風路４２３へ流通する。前上側通風路４２３へ流通した浄化空気は、イオン発生部４０で発生したイオンを含むイオン含有浄化空気になる。イオン含有浄化空気は、前上側通風路４２３から第２吹出口４４を介してユニット外部へ吹き出る。
【００８８】
第１吹出口３４を介して吹き出た浄化空気の残部は、機器外部へ拡散する。
ところで、第１吹出口３４から吹き出た浄化空気の一部によって押し上げられたダンパ４２ｂは、第１吹出口３４から更に吹き出る浄化空気の一部によって縦姿勢の状態に固定される。このとき、ダンパ４２ｂは、流入口４７を開放するのみならず、後下側通風路４２１と前下側通風路４２２及び前上側通風路４２３との連通を遮断する。
【００８９】
装着状態である場合、少なくとも第１送風機３１が送風している間は、第２制御部２１は、第２送風機４１をオフにする。何故ならば、第２送風機４１が送風せずとも第１送風機３１の送風によってイオン含有浄化空気が吹き出るため、第２送風機４１をオンにする必要がないからである。更に、第２送風機４１が送風することによって、ダンパ４２ｂが無用に図１３に示すような傾斜姿勢に戻り、流入口４７を閉鎖する虞があるからである。
【００９０】
ダンパ４２ｂが後下側通風路４２１と前下側通風路４２２及び前上側通風路４２３との連通を遮断することによって、第２吸込口４３，４３を介した空気の流通が禁止される。従って、流入口４７を介して前上側通風路４２３へ流通した浄化空気、又はイオン含有浄化空気が、後下側通風路４２１へ逆流し、第２吸込口４３，４３を介して外部へ吹き出る虞もない。
【００９１】
この後、第１送風機３１が送風を停止した場合、又は、装着状態から非装着状態になった場合、ダンパ４２ｂは、自重によって一端部を中心に図１３に示す矢符方向へ回転し、傾斜姿勢に戻る。このとき、後下側通風路４２１と前下側通風路４２２及び前上側通風路４２３とが連通し、流入口４７が閉鎖される。そして、第２送風機４１が送風している間、ダンパ４２ｂは、前下側通風路４２２を流通する空気によって、傾斜姿勢に固定される。
以上の結果、イオン発生ユニット２単体は、図１３に白抜矢符Ａ３１にて示すように、実施の形態１のイオン発生ユニット２単体と同様に、イオン含有空気を吹き出すことができる。ここで、図１２に実線又は二点鎖線で示す白抜矢符Ａ３１は、非装着状態である場合の空気の流通方向を示したものである。
【００９２】
以上のようなダンパ４２ｂは、本発明の実施の形態における切替部として機能する。
なお、空気清浄機５は、装着状態である場合に、第１吹出口３４を介して吹き出した空気の全部が直接的に第２通風路４２の内部へ流入するよう構成してもよい。
【００９３】
また、空気清浄機５は、流入した浄化空気による押し上げ又は自重によってダンパ４２ｂの姿勢が変更される構成に限定するものではない。例えば、空気清浄機５は、機器本体１に対するイオン発生ユニット２の着脱に応じて、ダンパ４２ｂの姿勢が機械的に変更される構成でもよい。また、空気清浄機５は、ダンパ４２ｂの姿勢を変更させるべくダンパ４２ｂを回転させる電動モータを備えていてもよい。
【００９４】
更に、ダンパ４２ｂが流入口４７を開放しても、後下側通風路４２１と前下側通風路４２２及び前上側通風路４２３との連通は遮断されない構成でもよい。ただし、この場合のイオン発生ユニット２は、第２吸込口４３，４３を開閉するシャッタのようなものを別途備えていることが好ましい。このとき、流入口４７の開放と共に第２吸込口４３，４３が閉鎖され、流入口４７の閉鎖と共に第２吸込口４３，４３が開放される。
更にまた、空気清浄機５は、１個の第２吸込口を有し、この第２吸込口が流入口を兼ねている構成でもよい。この場合、ダンパ４２ｂのような切替部を備えている必要はない。
【００９５】
また、空気清浄機５は、実施の形態１と同様の操作パネル２２に替えて、実施の形態２と同様の第１操作パネル３６及び第２操作パネル４６を備えていてもよい。
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
【００９６】
例えば、空気浄化部３０は、脱臭フィルタ３０１及び集塵フィルタ３０２を有するものに限定されない。具体的には、空気浄化部３０は、吸い込まれた空気を水中に通すことによって浄化する構成でもよい。また、空気浄化部３０は、イオン発生部で発生した正負イオンによる空気中のカビ及び臭い成分等の分解を行なう構成でもよい。
ファンモータ３１１又はファンモータ４１１の回転数は、一定であってもよく、２段階若しくは４段階以上の多段階又は無段階に切替可能であってもよい。
また、本発明の効果がある限りにおいて、空気清浄機１に、実施の形態１〜３に開示されていない構成要素が含まれていてもよい。
【符号の説明】
【００９７】
１    機器本体
３０  空気浄化部
３１  第１送風機
３２  第１通風路
３３  第１吸込口
３４  第１吹出口
３６  第１操作パネル（第１操作部）
２    イオン発生ユニット
４０  イオン発生部
４１  第２送風機
４２  第２通風路
４３  第２吸込口
４４  第２吹出口
４５  バッテリ
４６  第２操作パネル（第２操作部）
４７  流入口
４８  ダンパ（切替部）
５    空気清浄機
【図１】
0005850677.tif 000002
【図２】
0005850677.tif 000003
【図３】
0005850677.tif 000004
【図４】
0005850677.tif 000005
【図５】
0005850677.tif 000006
【図６】
0005850677.tif 000007
【図７】
0005850677.tif 000008
【図８】
0005850677.tif 000009
【図９】
0005850677.tif 000010
【図１０】
0005850677.tif 000011
【図１１】
0005850677.tif 000012
【図１２】
0005850677.tif 000013
【図１３】
0005850677.tif 000014